(57)【要約】【課題】ファンを逆付けで取り付けたことがすぐにわかるようにした送風用のファンの取付装置を提供する。【解決手段】画像形成装置の内部を冷却するためのファン７の取付装置において、ファン筐体９とインペラ１０との間隔を吸気側間隔１１と排気側間隔１２で異なせる（吸気側間隔１１＜排気側間隔１２）。ファン筐体９は、ファン７を固定するための取り付け面に突起１３を設置してある。突起１３の高さは、ファン７の取り付け方向で、ファン７を逆付けで取り付けた場合にのみインペラ１０と接触する高さとしてある。ファン７を逆付けで取り付けた場合、吸気側間隔１１が排気側間隔１２間隔より小さいため突起１３とインペラ１０とが接触するので、作業者には即座に逆付けであることがわかる。【選択図】図４
2015096706.tif 000002
【特許請求の範囲】
【請求項１】
画像形成装置内に設置される送風用のファンの取付装置において、
ファン筐体とインペラとの間隔を吸気側と排気側で異ならせ、
ファンを固定するための取り付け面に突起を設置し、その突起の高さが、ファンのある一方で取り付けられた場合にのみインペラと接触する高さとしてなる、
ことを特徴とする送風用のファンの取付装置。
【請求項２】
請求項１記載の送風用のファンの取付装置において、
前記突起の側面に傾斜を設けたことを特徴とする送風用のファンの取付装置。
【請求項３】
請求項１記載の送風用のファンの取付装置において、
前記傾斜を設ける突起の側面は、前記インペラの回転方向において前記インペラと対向する面、及びそれと対をなす反対側の面であることを特徴とする送風用のファンの取付装置。
【請求項４】
請求項１乃至３のいずれかに記載の送風用のファンの取り付け装置を備えていることを特徴とする画像形成装置。
【発明の詳細な説明】
【技術分野】
【０００１】
本発明は、静電複写機、同プリンタなどの画像形成装置に用いるのに適した冷却用ファンの取付装置に関する。
【背景技術】
【０００２】
画像形成装置には内部を冷却するためのファンが設置されており、ファンはダクトや板金に取り付けた上で画像形成装置に取り付けるようにすることが多い。
【０００３】
一般的な軸流ファンは送風側と吸気側で対象形状なっている場合が多い。そのため、組立時の逆付け防止のためにファンの取り付け方向を刻印やデカルで表示することがよく行われる。ただし、その場合においても組立作業者の確認に依存する。そのためヒューマンエラーの発生の恐れがあり、発生した場合はそれを検出することができない。
【発明の概要】
【発明が解決しようとする課題】
【０００４】
本発明は以上の問題点にかんがみてなしたものであり、シンプルな構成でファン逆付け防止機能を実現させることを目的とする。
【課題を解決するための手段】
【０００５】
本発明の送風用のファンの取付装置は、画像形成装置内に設置される送風用のファンの取付装置において、ファン筐体とインペラとの間隔を吸気側と排気側で異ならせ、ファン固定用の取り付け面に突起を設置し、その突起の高さが、ファンのある一方で取り付けられた場合にのみインペラと接触する高さとしてなる、ことを特徴とする。
【発明の効果】
【０００６】
本発明によれば、ファン固定用の取り付け面に突起を設置し、その突起の高さが、ファンを逆付けで取り付けた場合にのみインペラと接触する高さとしているので、シンプルな構成で、ファンの逆付け防止機能を実現できる。
【図面の簡単な説明】
【０００７】
【図１】本発明に係る冷却用ファンの取付装置を用いる対象となる画像形成装置の一例の構成を概略的に示す図である。
【図２】本発明の実施形態１に係る冷却用ファンの取付装置を示す斜視図である。
【図３】同ダクトの斜視図である。
【図４】同ファンの破断斜視図である。
【図５】同突起の形状を拡大して示す断面図である。
【図６】本発明の実施形態１に係る冷却用ファンの取付装置における突起の形状を拡大して示す断面図である。
【発明を実施するための形態】
【０００８】
以下、図面を参照して本発明の実施形態を説明する。
【０００９】
図１は、本発明に係る冷却用ファンの取付装置を用いる対象となる画像形成装置の一例の構成を概略的に示す図である。図においてカセット１から取り出された紙などの転写材が図示した矢印方向に進行する。転写材は、レジストローラ２を経て像担持体３に当接する転写部位に至る。その時までに、像担持体３に形成された静電潜像に現像器４から供給されたトナーによってトナー像が形成される。像形成は、画像変調されたレーザービームなどの画像信号による。このトナー像が転写部位に達して転写材に転移される。この転写材が、定着装置５を経てトナー像が定着固定されたのち、排出ローラ６を経て機外に排出される。定着装置５は非常に高温になるのに対し、像担持体３や現像器４は熱に弱い。そこで像担持体３や現像器４を冷却するためにファン７が設置されている。
【００１０】
＜実施形態１＞
本発明の第１の実施形態を図２乃至図５を用いて説明する。
既述のように、画像形成装置には内部を冷却するためのファン７が設置されている。送風用のファン７はダクト８や板金に取り付けた上で画像形成装置に取り付けるようにすることが多い。ファン７の取付装置においては、ファン筐体９とインペラ１０との間隔が吸気側間隔１１と排気側間隔１２では異ならせてある（吸気側間隔１１＜排気側間隔１２）。また図示のファン７はロック検知用のセンサを有している。
【００１１】
一方、ダクト８には、ファン７を固定するための取り付け面に突起１３を設置してある。突起１３の高さは、ファン７の取り付け方向で、ファン７を逆付けで取り付けた場合にのみインペラ１０と接触する高さとしてある。すなわち、ファン７を逆付けで取り付けた場合、吸気側間隔１１が排気側間隔１２間隔より小さいため突起１３とインペラ１０とが接触する。それにより作業者には即座に逆付けであることがわかる。そのため、シンプルな構成でファン７の逆付け防止機能を実現できる。なお、突起１３とインペラ１０とが接触したことを上述したセンサで検出するように構成してもよい。センサには種々公知のものを適宜採用すればよい。
【００１２】
＜実施形態２＞
本発明の第２の実施形態を図６を用いて説明する。本実施形態に係る送風ファンの取付装置においては、基本的な構成は第１の実施形態と同様であるので重複する説明は省略する。
本実施形態では、突起１３の側面に傾斜１４を設けてある。そのため、ファン７の通常動作時では突起による風の流れに対する抵抗を低減させることができる。そのため騒音発生、風量低下を抑えることができる。なお本実施形態で言う、突起１３の側面とは、インペラ１０の回転方向においてインペラ１０が作り出す風の流れと対向する面、及びそれと対をなす反対側の面を言う。ただし、他の側面にも同様に傾斜を設けてもよい。
【００１３】
本発明は以上説明した実施形態に限定されるものではなく、多くの変形が本発明の技術的思想内で当分野において通常の知識を有する者により可能である。
【符号の説明】
【００１４】
１        ：カセット
２        ：レジストローラ
３        ：像担持体
４        ：現像器
５        ：定着装置
６        ：排出ローラ
７        ：ファン
８        ：ダクト
９        ：ファン筐体
１０      ：インペラ
１１      ：吸気側間隔
１２      ：排気側間隔
１３      ：突起
１４      ：傾斜
【先行技術文献】
【特許文献】
【００１５】
【特許文献１】特開２００４−２１２５５１号公報
【特許文献２】特開２００７−１４８１０２号公報
【特許文献３】特開平６−２９５１４８号公報
【図１】
2015096706.tif 000003
【図２】
2015096706.tif 000004
【図３】
2015096706.tif 000005
【図４】
2015096706.tif 000006
【図５】
2015096706.tif 000007
【図６】
2015096706.tif 000008